(57)【要約】      （修正有）【課題】飲料水中で凝集・分離が発生しにくいセルロース複合体を提供する。【解決手段】セルロースと、１種以上の水溶性カルボキシメチルセルロースからなるセルロース複合体であって、該セルロース複合体をイオン交換水に１質量％分散させた水分散液のｔａｎδが０．６以下である上記セルロース複合体。【選択図】なし【特許請求の範囲】
【請求項１】
セルロースと、１種以上の水溶性カルボキシメチルセルロースからなるセルロース複合体であって、該セルロース複合体をイオン交換水に１質量％分散させた水分散液のｔａｎδが０．６０以下である上記セルロース複合体。
【請求項２】
イオン交換水中に前記セルロース複合体を１質量％含む水分散液において、貯蔵弾性率（Ｇ’）が２Ｐａ以上である請求項１に記載のセルロース複合体。
【請求項３】
イオン交換水中に前記セルロース複合体を０．０１質量％含む水分散液において、動的光散乱法によるメジアン径が６００ｎｍ以下である請求項１または２に記載のセルロース複合体。
【請求項４】
前記セルロース複合体に配合される水溶性カルボキシメチルセルロースが、少なくとも、１種以上のカルボキシメチルセルロースナトリウムを含む請求項１〜３のいずれかに記載のセルロース複合体。
【請求項５】
更に１種以上のカルボキシメチルセルロースカルシウムを含む請求項１〜４のいずれかに記載のセルロース複合体。
【請求項６】
前記水溶性カルボキシメチルセルロースの少なくとも１種が、０．８６〜０．９４の範囲内の置換度を有する水溶性カルボキシメチルセルロースである、請求項１〜５のいずれかに記載のセルロース複合体。
【請求項７】
請求項１〜６のいずれかに記載のセルロース複合体を含む飲食品。
【請求項８】
セルロースと水溶性カルボキシメチルセルロースからなるセルロース複合体、及び水不溶性成分を含み、４０℃で１週間保存後のゼータ電位の絶対値が１０ｍＶ以上となる飲料。
【請求項９】
前記水不溶性成分が、ココア、穀物類、または豆類の何れかを含む請求項８に記載の飲料。
【発明の詳細な説明】
【技術分野】
【０００１】
本発明は、飲食品に用いるセルロース複合体に関する。
【背景技術】
【０００２】
セルロースと多糖類からなるセルロース複合体は、水系溶媒中に分散させると、コロイド状となってネットワーク構造を形成することが知られている。そのため、この特徴を活かして、食品、医薬品、化粧品、塗料、セラミックス、樹脂、触媒、その他工業用品等の分野において、広く用いられており、特に、懸濁安定、乳化安定、組織付与、クラウディー性の付与、白度向上、流動性の改良、研磨剤、食物繊維付与、油脂代替等の目的で使用されている。例えば、飲料中に含まれる水不溶性の微粒子の懸濁安定を目的として、ココア飲料におけるココア粉末や、カルシウム強化牛乳におけるミルクカルシウムや炭酸カルシウム等を懸濁安定させるため、セルロース複合体が用いられている。
【０００３】
近年は特に、消費者のニーズの変化や健康志向、味の差別化を目的として、添加する水不溶性の微粒子の種類が多様化し、また添加成分が増え、従来にも増して高い懸濁安定性能を持つセルロース複合体が望まれている。
【０００４】
これまでにも、セルロース複合体の懸濁安定性能を高める検討が、種々行われている。
【０００５】
特許文献１には、結晶セルロース（ＭＣＣ）と２種の特定の置換度を持つカルボキシメチルセルロース（ＣＭＣ）からなるセルロース複合体が開示されている。該セルロース複合体は、高い貯蔵弾性率を持ち、ミルク中でココア粒子を、低添加量（０．２％）で安定化できると記載されている。
【０００６】
特許文献２には、ＭＣＣと２種の特定の置換度を持つＣＭＣからなるセルロース複合体が開示されている。該セルロース複合体は、酸性や塩を含む食品にも含むことができると記載されている。
【０００７】
特許文献３には、ＭＣＣと特定の置換度と粘度を持つＣＭＣからなるセルロース複合体が開示されている。
【０００８】
特許文献４には、ＭＣＣと多糖類からなり、０．８５μｍ以上のメジアン径を有するセルロース複合体が開示されている。該セルロース複合体は、コーヒーやココア、紅茶抽出物等の成分が高濃度配合されたリッチテイスト飲料に少量配合すると、低粘度で懸濁安定に優れると記載されている。
【０００９】
特許文献５には、ＭＣＣと置換度が０．９５−１．５で、粘度が１００ｃｐｓ以下であるＣＭＣからなるセルロース複合体が開示されている。該セルロース複合体を含むＵＨＴ殺菌ココアや、大豆タンパク飲料において、沈降や分離が抑制できると記載されている。
【先行技術文献】
【特許文献】
【００１０】
【特許文献１】ＷＯ２０１０／１３６１５７号
【特許文献２】ＷＯ２０１３／０５２１１４号
【特許文献３】ＷＯ２０１３／０５２１１８号
【特許文献４】ＷＯ２０１３／０２２０９０号
【特許文献５】ＷＯ２０１３／０８５８１０号
【発明の概要】
【発明が解決しようとする課題】
【００１１】
本発明者らは、ココアやピーナッツ、穀粉などの水不溶性成分を高濃度含む飲料においても、沈降、凝集分離を抑制できる、高機能セルロース複合体を検討した。特に、４０℃以上の高温で保存しても、分離や凝集を抑制できる高機能セルロース複合体を検討した。
【００１２】
特許文献１には、特定の置換度をもつ、２種のＣＭＣからなるセルロース複合体は、高い貯蔵弾性率を持ち、電解質等に対しても高い耐性をもつと記載されている。実施例には、セルロース複合体（ＭＣＧ００４８）を０．１％添加すると、脂肪分１．５％の牛乳中でココア粒子０．５％を安定化できることが記載されている。しかしながら、その安定化効果は必ずしも十分ではなく、特に、ココア粒子の添加量を増やす、あるいは４０〜５０℃の高温で保存すると、凝集や沈降が発生してしまい、懸濁安定性が不十分であった。
【００１３】
特許文献２には、特定の置換度をもつＣＭＣ２種の特定比率の組み合わせを用いた、セルロース複合体の製造方法が開示されている。しかしながら、同文献のセルロース複合体による安定化効果も必ずしも十分ではなかった。また、該方法で製造されたセルロース複合体は、高い初期粘度及びセットアップ粘度を持つとされている。そのため、該セルロース複合体を懸濁飲料に配合すると、飲み口が重く、ねっとりした食感となってしまう問題があった。同文献の実施例でも、スプレッドやラズベリー濃縮物等の応用例が記載されているだけである。
【００１４】
特許文献３には、特定の置換度を持つＣＭＣを配合したセルロース複合体が開示されている。実施例では、スキムミルク中にココアを１．５ｗｔ％配合した懸濁飲料の例も開示されている。確かに、３０℃以下の保存温度においては、クリーミングや上層の分離を抑制できる効果は得られているが、それでも実際の効果は必ずしも満足いくものではない。特に、猛暑や車内、ホット飲料等を想定した、４０℃以上の過酷な保存条件では、分離や凝集が発生してしまう問題があった。
【００１５】
特許文献４には、セルロース複合体を配合したココアやコーヒー、黒ゴマ配合乳飲料等の実施例が開示されている。これによると、該セルロース複合体を配合することにより、分離、凝集、沈降が優れることが記載されているが、飲料中に含まれるセルロース複合体は０．４％であり、より少ない配合量でも効果を奏することがより好ましい。また、ココアを例にとると、全脂粉乳の配合量が０．８ｗｔ％であるが、全脂粉乳の配合量を増やすと、乳タンパクが要因となって凝集が発生してしまう場合があった。
【００１６】
特許文献５のセルロース複合体を配合したＵＨＴココアや大豆プロテイン飲料では、３０℃以下の低温保存において、確かに沈降や分離の抑制に効果を奏している。しかしながら、４０℃や５０℃の高温で保存すると、凝集や分離が発生してしまうという問題があった。また、ＵＨＴ大豆プロテイン飲料では、大豆プロテインと水では、沈降や凝集の抑制に効果が得られたが、これにピーナッツやオートミール等の穀粉や、その他食品微粒子を添加すると、沈降が増えたり、凝集を引き起こしてしまう問題があった。
【課題を解決しようとするための手段】
【００１７】
本発明者らは、セルロースとＣＭＣなどの多糖類からなるセルロース複合体について鋭意検討を重ねた結果、セルロース複合体を水に分散させた際の水分散液のｔａｎδが水不溶性の微粒子を多く含む飲料における凝集・分離の発生と相関があることを見出し、該ｔａｎδが特定以下の値のセルロース複合体を使用することによって、該セルロース複合体を添加した飲料中で凝集・分離が発生しにくくなることを見出し、本発明を完成させた。
【００１８】
すなわち、本発明は以下の通りである。
（１）  セルロースと、１種以上の水溶性カルボキシメチルセルロースからなるセルロース複合体であって、該セルロース複合体をイオン交換水に１質量％分散させた水分散液のｔａｎδが０．６０以下である上記セルロース複合体。
（２）  イオン交換水中に前記セルロース複合体を１質量％含む水分散液において、貯蔵弾性率（Ｇ’）が２Ｐａ以上である（１）に記載のセルロース複合体。
（３）  イオン交換水中に前記セルロース複合体を０．０１質量％含む水分散液において、動的光散乱法によるメジアン径が６００ｎｍ以下である（１）または（２）に記載のセルロース複合体。
（４）  前記セルロース複合体に配合される水溶性カルボキシメチルセルロースが、少なくとも１種以上のカルボキシメチルセルロースナトリウムを含む（１）〜（３）のいずれかに記載のセルロース複合体。
（５）  更に１種以上のカルボキシメチルセルロースカルシウムを含む（１）〜（４）のいずれかに記載のセルロース複合体。
（６）  前記水溶性カルボキシメチルセルロースの少なくとも１種が、０．８６〜０．９４の範囲内の置換度を有する水溶性カルボキシメチルセルロースである、（１）〜（５）のいずれかに記載のセルロース複合体。
（７）  セルロースと水溶性カルボキシメチルセルロースからなるセルロース複合体の製造方法であって、第一の水溶性カルボキシメチルセルロースとセルロースとを混練する第一の混練工程と、さらに第二の水溶性カルボキシメチルセルロースを添加して混練する第二の混練工程を含み、第一の混練工程においては、シアレートが３００（１／ｓ）以上の湿式混練が行われる（１）〜（６）のいずれかに記載のセルロース複合体の製造方法。
（８）  第一の混練工程で使用する水溶性カルボキシメチルセルロースが、０．８６〜０．９４の範囲内の置換度を有する水溶性カルボキシメチルセルロースナトリウムを１種以上含む、（７）に記載のセルロース複合体の製造方法。
（９）  前記第一の水溶性カルボキシメチルセルロースと第二の水溶性カルボキシメチルセルロースが同一である、（７）又は（８）に記載のセルロース複合体の製造方法。
（１０）  前記第一の水溶性カルボキシメチルセルロースと第二の水溶性カルボキシメチルセルロースが異なる、（７）又は（８）に記載のセルロース複合体の製造方法。
（１１）  上記（１）〜（６）のいずれかに記載のセルロース複合体を含む飲食品。
（１２）  セルロースと水溶性カルボキシメチルセルロースからなるセルロース複合体、及び水不溶性成分を含み、４０℃で１週間保存後のゼータ電位の絶対値が１０ｍＶ以上となる飲料。
（１３）  前記水不溶性成分が、ココア、穀物類、または豆類の何れかを含む（１２）に記載の飲料。
【発明の効果】
【００１９】
本発明のセルロース複合体を、ココアやタンパク、ピーナッツ、穀粉などの水不溶性成分を多く含む飲料に配合することにより、常温２５℃のみならず、高温４０℃以上での保管後の懸濁安定性（例えば、分離、凝集又は沈降の少なくとも１つ以上の抑制）にも優れた、均一な外観を呈する飲食品を提供することができる。
【発明を実施するための形態】
【００２０】
本発明について、以下具体的に説明する。
【００２１】
本発明のセルロース複合体は、セルロースと水溶性カルボキシメチルセルロースを含むセルロース複合体であって、該セルロース複合体を１質量％含む水分散液のｔａｎδが、０．６０以下のものである。また、本発明のセルロース複合体を１質量％含む水分散液の貯蔵弾性率（Ｇ’）が２Ｐａ以上であるものが好ましい。本発明において、「複合化」とは、セルロースの表面の少なくとも一部が、水素結合等の化学結合により、水溶性カルボキシメチルセルロース等の多糖類で被覆されることを意味する。また、「懸濁安定」とは、ココアやカルシウム、穀粉等の水不溶性の微粒子を含む飲食品において、分離、凝集、沈降の少なくとも１つ以上が実質的に生じず、好ましくは均一な外観を呈する状態を意味する。
【００２２】
＜セルロース＞
本発明における、「セルロース」とは、セルロースを含有する天然由来の水不溶性繊維質物質である。原料としては、木材、竹、麦藁、稲藁、コットン、ラミー、バガス、ケナフ、ビート、ホヤ、バクテリアセルロース等が挙げられる。原料として、これらのうち１種の天然セルロース系物質を使用しても、２種以上を混合したものを使用することも可能である。工業的に量産されており安定した品質のものを入手できるセルロースとしては、結晶セルロースと粉末セルロースをあげることができる。
【００２３】
＜セルロースの平均重合度＞
本発明に用いるセルロースは結晶セルロースが好ましく、該結晶セルロースの平均重合度は、５００以下であることが好ましい。平均重合度は、「第十五改正日本薬局方」（廣川書店発行）の結晶セルロース確認試験（３）に規定される銅エチレンジアミン溶液による還元比粘度法により測定できる。平均重合度が５００以下ならば、水溶性カルボキシメチルセルロースとの複合化の工程において、セルロース系物質が攪拌、粉砕、摩砕等の物理処理を受けやすくなり、複合化が促進されやすくなるため好ましい。より好ましくは、平均重合度は３００以下、さらに好ましくは、平均重合度は２５０以下である。平均重合度は、小さいほど複合化の制御が容易になるため、下限は特に制限されないが、好ましい範囲としては１０以上である。
【００２４】
＜セルロースの加水分解＞
平均重合度を制御する方法としては、加水分解処理等が挙げられる。加水分解処理によって、セルロース繊維質内部の非晶質セルロースの解重合が進み、平均重合度が小さくなる。また同時に、加水分解処理により、上述の非晶質セルロースに加え、ヘミセルロースや、リグニン等の不純物も、取り除かれるため、繊維質内部が多孔質化する。それにより、混練工程等で、セルロースと親水性ガムに機械的せん断力を与える工程において、セルロースが機械処理を受けやすくなり、セルロースが微細化されやすくなる。その結果、セルロースの表面積が高くなり、水溶性カルボキシメチルセルロースを含む多糖類との複合化の制御が容易になる。
【００２５】
加水分解の方法は、特に制限されないが、酸加水分解、熱水分解、スチームエクスプロージョン、マイクロ波分解等が挙げられる。これらの方法は、単独で使用しても、２種以上を併用してもよい。酸加水分解の方法では、セルロース系物質を水系媒体に分散させた状態で、プロトン酸、カルボン酸、ルイス酸、ヘテロポリ酸等を適量加え、攪拌させながら、加温することにより、容易に平均重合度を制御できる。この際の温度、圧力、時間等の反応条件は、セルロース種、セルロース濃度、酸種、酸濃度により異なるが、目的とする平均重合度が達成されるよう適宜調整されるものである。例えば、２質量％以下の鉱酸水溶液を使用し、１００℃以上、加圧下で、１０分以上セルロースを処理するという条件が挙げられる。この条件のとき、酸等の触媒成分がセルロース繊維内部まで浸透し、加水分解が促進され、使用する触媒成分量が少なくなり、その後の精製も容易になる。
【００２６】
＜結晶セルロース（結晶形態である通常のセルロース）＞
本発明で使用できる結晶セルロースとは、繊維性植物からパルプとして得たα−セルロースを酸で部分的に解重合し、精製したものである。例えば、第十五改正日本薬局方解説書（廣川書店発行）に記載の、結晶セルロースに該当するものである。
【００２７】
結晶セルロースと粉末セルロースとでは、水に分散させたときの状態が異なる。当該水分散液状態の比較としては、セルロースを水に分散させ、ホモジナイザーで磨砕して分散液を作製し、その状態を目視観察して比較すると、結晶セルロースは全体が白色不透明なクリーム状を呈し分離が生じないのに対し、粉末セルロースは分離が生じ上澄み液と沈殿とに分かれる。例えば、セルロース含有量が１０質量％となるよう、水及びセルロースを量り取り、２５℃雰囲気下にてＴＫホモミキサー（特殊機化工業（株）製、ＭＡＲＫＩＩ）で１２，０００ｒｐｍで１０分間撹拌して分散液を作製し、この分散液を高圧ホモジナイザー（ＡＰＶ社製  マントンゴーリンホモジナイザー  圧力１５ＭＰａ）処理した白色の懸濁液を、２５℃で１時間静置後の懸濁安定状態で比較することができる。
【００２８】
本発明に用いるセルロースは、結晶セルロースであることが好ましい。結晶セルロースをセルロース複合体として飲食品に配合した場合、ざらつきを感じにくく、のどごしが優れるからである。
【００２９】
＜セルロースの粒子形状（Ｌ／Ｄ）＞
本発明のセルロース複合体中のセルロースは、微細な粒子状の形状であることが好ましい。セルロースの粒子形状は、本発明のセルロース複合体を、１質量％濃度でイオン交換水懸濁液とし、高剪断ホモジナイザー（日本精機（株）製、商品名「エクセルオートホモジナイザーＥＤ−７」処理条件：回転数１５，０００ｒｐｍ×５分間）で分散させた水分散液を、０．１〜０．５質量％にイオン交換水で希釈し、マイカ上にキャストし、風乾させたものを、高分解能走査型顕微鏡（ＳＥＭ）、又は原子間力顕微鏡（ＡＦＭ）で計測された際に得られる粒子像の長径（Ｌ）と短径（Ｄ）とした場合の比（Ｌ／Ｄ）で表され、１００個〜１５０個の粒子の平均値として算出される。
【００３０】
Ｌ／Ｄは、２０未満が好ましく、１５以下がより好ましく、１０以下がさらに好ましく、５以下が特に好ましく、５未満が格別に好ましい。Ｌ／Ｄの下限値は１より大きいことが好ましく、より好ましくは２以上であり、さらに好ましくは３以上である。Ｌ／Ｄの値が大きいほど、セルロースは細長い形状であることを意味する。この範囲内であれば、ざらつきを感じにくく、のど越しが優れるからである。
【００３１】
＜水溶性カルボキシメチルセルロース（水溶性ＣＭＣ）＞
本発明のセルロース複合体には、多糖類の１種として、水溶性カルボキシメチルセルロースを配合する。カルボキシメチルセルロースは、セルロース誘導体の１種であり、Ｄ−グルコースがβ―１，４結合した、セルロース骨格を持ち、セルロースの水酸基（セルロース中のグルコース残基一単位には三か所の水酸基が存在する）中の水素原子がモノクロロ酢酸との反応によりカルボキシメチル基（−ＣＨ２ＣＯＯ−）に置換されたもので、一部または全部の水酸基中の水素原子がカルボキシメチル基に置き換えられた構造を持つセルロース誘導体の総称である。水溶性カルボキシメチルセルロースは、水を溶媒として混練することでセルロースとの複合化が促進されやすいため好ましい。特に、水溶性カルボキシメチルセルロース中のグルコース残基のカルボキシメチル基が、塩構造となっているものを用いることが好ましい。
【００３２】
特定のカルボキシメチルセルロースが水溶性に該当するか否かは、以下の基準による。該カルボキシメチルセルロースの試料３ｇを、２９７ｇのイオン交換水に添加し、エクセルオートホモジナイザーで１５，０００ｒｐｍで５分間撹拌する。作製した水溶液（または水分散液）を１００ｍｌの沈降管に１００ｍｌ充填し、２５℃で３時間静置後の沈降量（ｍｌ）を目視で測定し、沈降量が１ｍｌ（１％）未満の場合水溶性であるとする。水溶性ＣＭＣの非限定的な例は、複合化しやすさの観点から、カルボキシメチルセルロースナトリウム、カルボキシメチルセルロースカリウム、カルボキシメチルセルロースアンモニウムである。
【００３３】
＜セルロースと水溶性ＣＭＣの配合比率＞
本発明のセルロース複合体は、セルロースを５０〜９９質量％、水溶性ＣＭＣを含む多糖類を１〜５０質量％含むことが好ましい。セルロースと該多糖類の複合化により、セルロース粒子の表面が、該多糖類により水素結合等の化学結合で被覆されることにより、セルロース複合体は水分散液中に分散可能となり、ネットワーク構造を形成することで懸濁安定性が向上する。また、セルロースと該多糖類を上記の組成で複合化することにより、複合化が効果的に進むため、好ましい。より好ましいセルロースの配合量は６０質量％以上であり、さらに好ましくは７０質量％以上であり、特に好ましくは７５質量％以上である。好ましい上限としては、９５質量％以下であり、特に好ましくは９０質量％以下である。該多糖類の好ましい配合量としては、５質量％以上がより好ましく、１０質量％以上がさらに好ましい。上限としては、４０質量％以下がより好ましく、３０質量％以下がさらに好ましく、２５質量％以下が特に好ましい。
【００３４】
本発明で用いる水溶性カルボキシメチルセルロースは、対イオンの種類、置換度、粘度の少なくともいずれか１つが異なるカルボキシメチルセルロースを２種以上配合することが好ましい。３種以上を配合すると、さらに好ましい。これにより、ｔａｎδが低く、Ｇ’が高いセルロース複合体が得られる。
ここで、第一の水溶性カルボキシメチルセルロースの粘度をη１、置換度をＤＳ１とし、第二の水溶性カルボキシメチルセルロースの粘度をη２、置換度をＤＳ２とするとき、対イオンの種類が同じであって、（η１−η２）／（η１+η２）の値が−０．２０〜０．２０であって、（ＤＳ１−ＤＳ２）／（ＤＳ１+ＤＳ２）の値が−０．０２５〜０．０２５である場合を同一の水溶性カルボキシメチルセルロースであるとし、それ以外の場合は異なる水溶性カルボキシメチルセルロースであるとする。
【００３５】
２種配合する場合の好ましい配合比率は、一種目の水溶性ＣＭＣが９９〜１質量％に対し、二種目の水溶性ＣＭＣが１〜９９質量％である。３種配合する場合は、一種目の水溶性ＣＭＣが９８〜１質量％、二種目の水溶性ＣＭＣが１〜９８質量％、三種目の水溶性ＣＭＣが１〜９８質量％の比率で配合することが好ましい。つまり、水溶性ＣＭＣの全量に対して、別の水溶性ＣＭＣ（複数の場合には、その各々）を１質量％以上配合することが好ましい。より好ましくは、別の水溶性ＣＭＣ（複数の場合には、その各々）を２質量％以上配合することが好ましい。
【００３６】
＜カルボキシメチルセルロースナトリウム（ＣＭＣ−Ｎａ）＞
カルボキシメチルセルロースナトリウムは、上記水溶性ＣＭＣのうち、セルロース中のグルコース残基のカルボキシメチル基が、ナトリウム塩となっている多糖類である。ＣＭＣ−Ｎａは、白色微粉末であり、水に速やかに溶解する。
【００３７】
代表的な製法としては、水媒法と溶媒法がある。水媒法は、始めアルカリセルロースを作り、その後モノクロロ酢酸または、そのナトリウム塩を添加するアルカリ法と、セルロースをモノクロロ酢酸ナトリウム液と共に混和し、破砕し、次に水酸化ナトリウムを添加する早川法の２法がある。溶媒法は、様々な種類の溶媒、混合溶媒の使用が可能であり、イソプロピルアルコールを使用する方法が一般的である。イソプロピルアルコールとセルロース、水酸化ナトリウムを反応させてアルカリセルロースを作製し、これにモノクロロ酢酸を添加してエーテル化反応を行った後、メタノールで洗浄し製造する方法がある。カルメロースナトリウム、繊維素グリコール酸ナトリウムとも呼ばれるものも本発明でいうＣＭＣ−Ｎａに含まれる。
【００３８】
＜ＣＭＣ−Ｎａの置換度＞
ＣＭＣ−Ｎａの置換度の理論値の上限は３であり、その範囲のものであれば本発明で使用することができるが、本発明で用いるＣＭＣ−Ｎａは、置換度が１．５以下のものを用いることが好ましい。下限としては、０．５以上のものが好ましい。特に、ｔａｎδが小さいセルロース複合体を得るには、置換度は０．７以上が好ましく、より好ましくは０．８以上であり、さらに好ましくは０．８６以上であり、特に好ましくは０．９１以上である。上限としては、１．５以下が好ましく、より好ましくは１．１以下であり、さらに好ましくは１．０以下であり、特に好ましくは０．９４以下である。
【００３９】
また、セルロース複合体の貯蔵弾性率Ｇ’を高めるためには、ＣＭＣ−Ｎａの置換度は０．７以上が好ましく、より好ましくは０．８６以上であり、さらに好ましくは１．０以上であり、特に好ましくは１．１以上である。上限としては、１．５以下が好ましく、１．３以下がより好ましく、１．２以下がさらに好ましい。
【００４０】
これらのＣＭＣ−Ｎａは、セルロース複合体のｔａｎδ及びＧ’を所望の値にするために、２種以上を一括で混合してセルロースと複合化することもできるし、多段階に分けてセルロースに添加して複合化することも可能である。多段階に分けて添加して複合化する方法により、ｔａｎδが低く、Ｇ’が高いセルロース複合体が得られるため好ましい。
【００４１】
ここでいう置換度は、日本薬局方で規定されている以下の方法で測定される。試料（無水物）０．５ｇを精密にはかり、ろ紙に包んで磁性ルツボ中で灰化させる。冷却後、これを５００ｍｌビーカーに写し、水を約２５０ｍｌと０．０５Ｍ硫酸３５ｍｌを加えて３０分間煮沸する。これを冷却し、フェノールフタレイン指示薬を滴下して過剰な酸を０．１Ｍ水酸化カリウムで逆滴定し、次式を用いて算出する。
【００４２】
Ａ＝｛（ａｆ−ｂｆ１）／試料無水物の質量（ｇ））−アルカリ度（または＋酸度）
置換度＝（１６２×Ａ）／（１００００−８０×Ａ）
ここで、以下のように定義する。
Ａ：試料１ｇ中のアルカリに消費された０．０５Ｍの硫酸の量（ｍｌ）
ａ：０．０５Ｍ硫酸の使用量（ｍｌ）
ｆ：０．０５Ｍ硫酸の力価
ｂ：０．１Ｍ水酸化カリウムの滴定量（ｍｌ）
ｆ１：０．１Ｍ水酸化カリウムの力価
１６２：グルコースの分子量
８０：ＣＨ２ＣＯＯＮａ−Ｈの分子量
【００４３】
アルカリ度（または酸度）の測定法：試料（無水物）１ｇを３００ｍｌフラスコに精密に測り取り、水を約２００ｍｌ加えて溶かす。これに、０．０５Ｍ硫酸５ｍｌを加え、１０分間煮沸した後冷却し、フェノールフタレイン指示薬を加えて０．１Ｍ水酸化カルシウムで滴定する（Ｓｍｌ）。同様に該試料を含まない水を使用してブランク試験を行い滴定する（Ｂｍｌ）。次式を用いてアルカリ度（または酸度）を算出する。
【００４４】
アルカリ度＝｛（Ｂ−Ｓ）×ｆ｝／試料無水物の質量（ｇ）
【００４５】
ここで、ｆ：０．１Ｍ水酸化カリウムの力価と定義する。｛（Ｂ−Ｓ）×ｆ｝の値がマイナスの場合は、酸度とする。
なお、ＣＭＣ−Ｎａ以外の水溶性ＣＭＣの置換度も同様の方法で測定することができる。
【００４６】
＜ＣＭＣ−Ｎａの粘度＞
本発明に用いるＣＭＣ−Ｎａの粘度は、１質量％の水溶液において、４５０ｍＰａ・ｓ以下が好ましい。ここでいう粘度は、以下の方法で測定される。まず、ＣＭＣ−Ｎａの粉末を１質量％測り取り、イオン交換水を、全量３００ｇとなるよう加える。これを、高せん断ホモジナイザー（日本精機（株）製、商品名「エクセルオートホモジナイザーＥＤ−７」）を用いて、回転数１５，０００ｒｐｍで５分間分散させる。この水溶液を、２５℃で１時間静置した後、Ｂ形粘度計（東機産業（株）製、商品名「ＴＶ−１０」、ローター回転数６０ｒｐｍ）にローターを設置して６０秒静置後に、３０秒間回転させて測定する。ただし、ローターは粘度によって適宜変更できる。測定温度は２５℃である。ＣＭＣ−Ｎａの粘度が低いほど、セルロースとの複合化が促進され、該セルロース複合体を水に分散させたとき、水分散液のｔａｎδの値が低く制御でき、動的光散乱法で測定されるセルロース複合体のメジアン径が小さくなる。ＣＭＣ−Ｎａの粘度は、より好ましくは３５０ｍＰａ・ｓ以下であり、さらに好ましくは２００ｍＰａ・ｓ以下であり、特に好ましくは１００ｍＰａ・ｓ以下であり、格別に好ましくは５０ｍＰａ・ｓ以下である。下限は、特に設定されるものではないが、好ましい範囲としては１ｍＰａ・ｓ以上である。
なお、ＣＭＣ−Ｎａ以外の水溶性ＣＭＣの粘度も同様の方法で測定することができる。
【００４７】
＜ＣＭＣ−Ｎａの添加量・配合比率＞
本発明のセルロース複合体に添加されるＣＭＣ−Ｎａは、１種以上配合することが好ましい。前述の理由から、ｔａｎδが低く、Ｇ’が高いセルロース複合体を得るためには、２種以上のＣＭＣ−Ｎａを組み合わせて使用するのが好ましい。この場合、異なる置換度のものを組み合わせて使用することがより好ましい。
特に、ＣＭＣ−Ｎａを２段階以上に分けてセルロースと共処理する場合には、第一段階で置換度が０．８６から０．９４のＣＭＣ−Ｎａを、セルロース（複合体でない）に配合して、共処理することが好ましい。該ＣＭＣ−Ｎａを第一段階で配合することにより、セルロースとの複合化を促進させて、ｔａｎδを小さく制御しやすい。この第一段階で配合するＣＭＣ−Ｎａは、粘度が低いほうが好ましい。該粘度としては、４５０ｍＰａ・ｓ以下が好ましく、１００ｍＰａ・ｓ以下が好ましく、５０ｍＰａ・ｓ以下がより好ましい。それにより、ｔａｎδをより低く制御できる。
【００４８】
第二段階で配合するＣＭＣ−Ｎａは、第一段階で配合したＣＭＣ−Ｎａと同じものであってもよいが、第一段階で配合したＣＭＣ−Ｎａより置換度が高いものを用いることが好ましく、具体的には、第二段階で配合したＣＭＣ−Ｎａの置換度は０．９５〜１．５が好ましく、１．１〜１．５であることがより好ましい。
二種類以上のＣＭＣ−Ｎａを配合する場合は、一種目のＣＭＣ−Ｎａと二種目のＣＭＣ−Ｎａとをセルロースに同時に配合してもよいが、第一段階でセルロースに一種目のＣＭＣ−Ｎａを配合して共処理（たとえば、湿式混練）し、第二段階で二種目のＣＭＣ−Ｎａを配合して共処理することが好ましい。該二種目のＣＭＣ−Ｎａとしては、一種目のＣＭＣ−Ｎａより置換度が高いものを用いることが好ましい。それにより、セルロース複合体のｔａｎδを低く、Ｇ’を高くすることができる。
【００４９】
各ＣＭＣ−Ｎａは、該一種目のＣＭＣ−Ｎａがセルロース複合体全量に対し、１〜２５質量％配合され、該二種目のＣＭＣ−Ｎａが１〜２５質量％配合されることが好ましい。より好ましくは、該一種目のＣＭＣ−Ｎａが１〜１５質量％で、該二種目のＣＭＣ−Ｎａが１〜１０質量％である。さらに好ましくは、該一種目のＣＭＣ−Ｎａが１〜１０質量％で、該二種目のＣＭＣ−Ｎａが１〜５質量％である。それにより、セルロース複合体のｔａｎδを低く、Ｇ’を高くすることができる。
【００５０】
＜カルボキシメチルセルロースカルシウム（ＣＭＣ−Ｃａ）＞
カルボキシメチルセルロースカルシウムは、セルロース中のグルコース残基の第一級または第二級アルコール性水酸基（グルコース１個につき合計３個存在する）の一部または全部がカルボキシメチル基とエーテル結合し、カルシウムを末端に持つ構造の多糖類である。代表的な製法としては、セルロースを、カルボキシメチル化したエーテル誘導体を酸処理して、水に不溶性のＣＭＣ酸とし、十分に洗浄して精製ＣＭＣ酸を得た後、この精製ＣＭＣ酸に炭酸カルシウムを加えて中和しカルシウム塩とすることで得る製法があげられる。カルメロースカルシウム、繊維素グリコール酸カルシウムとも呼ばれるものも本発明でいうＣＭＣ−Ｃａに含まれる。ＣＭＣ−Ｃａの外観は白色微粉末であり、先述のＣＭＣ−Ｎａとは異なり、水、酸に不溶であり、アルカリに部分溶解する。すなわち、ＣＭＣ−Ｃａは、前述の水溶性カルボキシメチルセルロースには該当しない。一方で、ＣＭＣ−Ｃａは、吸水性が非常に高いことが知られている。
【００５１】
本発明では、ＣＭＣ−Ｃａを１種以上配合することが好ましい。ＣＭＣ−Ｃａは、吸水性に優れるため、セルロースと水溶性カルボキシメチルセルロースとを複合化する際に、混練時の固形分濃度を容易に上げることができる。このため、セルロースと水溶性ＣＭＣの複合化がより促進されるため好ましい。ＣＭＣ−Ｃａの置換度と粘度は、特定範囲に調整されたものを用いることが好ましい。置換度と粘度は、ＣＭＣ−Ｎａと同様に定義される。好ましい置換度は０．５以上であり、上限としては２以下であることが好ましい。好ましい粘度は５００ｍＰａ・ｓ以下であり、より好ましくは１００ｍＰａ・ｓ以下である。下限としては、１ｍＰａ・ｓ以上である。ＣＭＣ−Ｃａの好ましい配合比率は、水溶性ＣＭＣとＣＭＣ−Ｃａの総質量に対して、ＣＭＣ−Ｃａが０．０１〜５０質量％である。この範囲であれば、混練時の固形濃度をアップさせた状態で、混練が硬くなりすぎず、問題なく処理できるからである。
【００５２】
＜セルロース複合体＞
本発明のセルロース複合体とは、主成分であるセルロースに水溶性カルボキシメチルセルロースを含む多糖類が複合化されたものである。複合化とは、前述のとおり、セルロース粉末を構成する粒子の表面の少なくとも一部が、水素結合等の化学結合により、多糖類で被覆された形態を意味する。したがって、セルロース複合体は、セルロース粉末と多糖類とを単に混合した状態ではなく、多糖類がセルロース粒子の表面を被覆した状態である。そのため、セルロース複合体を水系媒体中に分散させると、該水溶性カルボキシメチルセルロース等の多糖類がセルロース粒子の表面から剥離することなく、表面から放射状に広がった構造を形成し、水中でコロイド状となる。このコロイド状で存在するセルロース複合体は、それぞれの静電反発や立体反発、ファンデルワールス力等の相互作用によって、高次のネットワーク構造を形成することができる。
【００５３】
本発明における多糖類としては、上述したＣＭＣ−ＮａやＣＭＣ−Ｃａの他、親水性高分子物質を挙げることができる。ここで親水性とは、常温のイオン交換水に、一部が溶解する特性を有することである。定量的に親水性を定義すると、この水溶性高分子０．０５ｇを、５０ｍＬのイオン交換水に、攪拌下（スターラーチップ等による）で平衡まで溶解させ、目開き１μｍのメンブレンフィルターで処理した際に、通過する成分が、多糖類中に１質量％以上含まれることである。
【００５４】
本発明に使用できる多糖類は、化学構造の一部に糖又は多糖を含むもので、水溶性カルボキシメチルセルロース以外には、ジェランガム、サイリウムシードガム、ローカストビーンガム、キサンタンガム、グアガム、タラガム、タマリンドシードガム、カラヤガム、キトサン、アラビアガム、ガッティガム、グルコマンナン、トラガントガム、寒天、カラギーナン、アルギン酸、アルギン酸ナトリウム、アルギン酸カルシウム、アルギン酸プロピレングリコールエステル、ＨＭペクチン、ＬＭペクチン、アゾトバクター・ビネランジーガム、カードラン、プルラン、デキストラン、メチルセルロース、ヒドロキシプロピルセルロース及びヒドロキシエチルセルロース等のセルロース誘導体、並びにポリデキストロースが好適な例として挙げられる。
【００５５】
また、セルロース複合体は、水系媒体への分散性を高める目的で、上記の多糖類に加えて、又はそれに替えて、高分子物質ではない親水性物質を含んでもよい。親水性物質は、水系媒体中に分散させた際の、崩壊剤、または導水剤として機能する。したがって、セルロース粒子の表面に親水性物質を被覆することで、セルロース複合体がさらに水中で分散しやすくなる。
【００５６】
要するに、高分子物質ではない親水性物質とは、冷水への溶解性が高く粘性を殆どもたらさない有機物質であり、澱粉加水分解物、デキストリン類、難消化性デキストリン、フラクトオリゴ糖、ガラクトオリゴ糖、マルトオリゴ糖、イソマルトオリゴ糖、乳糖、マルトース、ショ糖、α−、β−、γ−シクロデキストリン等のオリゴ糖類、ブドウ糖、果糖、ソルボース等の単糖類、マルチトール、ソルビット、エリスリトール等の糖アルコール類等が適している。これらの親水性物質は、２種類以上組み合わせてもよい。上述の中でも、澱粉加水分解物、デキストリン類、難消化性デキストリンが分散性の点で好ましい。親水性物質の中には、デキストリン類、及び難消化デキストリンのように、多糖類としての機能も、僅かではあるがあわせ持つものもある。そのような親水性物質を用いる場合でも水溶性高分子をあわせて用いることが望ましいが、そのような場合には多糖類を用いなくてもよい別の態様もある。その他の成分の配合については、組成物の水中での分散及び安定性を阻害しない程度に配合することは自由である。
【００５７】
＜セルロース複合体の水分散特性＞
本発明のセルロース複合体は、水などの溶媒中に添加して撹拌処理を施し、サブミクロン〜数ミクロン程度まで分散させると、三次元ネットワーク構造を形成することができる。これは、まずセルロース粒子の表面の多糖類が水に溶解し、造粒物表面に多数の細孔が出現すると、その細孔から造粒物内部に溶媒が浸入することで造粒物が崩壊し、一次粒子の状態まで分散する。このとき、コロイド状となったセルロース粒子の表面は負に帯電することから、結晶セルロース粒子同士の反発により、三次元ネットワーク構造が形成される。したがって、セルロースは比重が１以上の水不溶性粒子であるにも関わらず、溶媒中で安定に分散できる。
【００５８】
＜セルロース複合体の貯蔵弾性率（Ｇ’）＞
本発明のセルロース複合体の貯蔵弾性率（Ｇ’）について説明する。
【００５９】
本発明のセルロース複合体は、イオン交換水中に該セルロース複合体を１質量％含む水分散液の貯蔵弾性率（Ｇ’）が２Ｐａ以上であることが好ましい。貯蔵弾性率とは、水分散液のレオロジー弾性を表現するものであり、セルロースと水溶性ＣＭＣを含む多糖類との複合化の程度を表すものである。貯蔵弾性率が高いほど、セルロースと該多糖類との複合化が促進され、セルロース複合体の水分散液におけるネットワーク構造が、剛直であることを意味する。ネットワーク構造が剛直なほど、セルロース複合体は懸濁安定性に優れる。
【００６０】
本発明において、貯蔵弾性率は、セルロース複合体１質量％をイオン交換水中に分散させた水分散液の動的粘弾性測定により得られる値とした。水分散液に歪みを与えた際の、セルロース複合体ネットワーク構造内部に蓄えられた応力を保持する弾性成分が貯蔵弾性率として表れる。
【００６１】
貯蔵弾性率の測定方法としては、まず、セルロース複合体１質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させ得られた水分散液を１日間室温で静置する。この水分散液の応力のひずみ依存性を、粘弾性測定装置（Ｒｈｅｏｍｅｔｒｉｃ  Ｓｃｉｅｎｔｉｆｉｃ，Ｉｎｃ．製、ＡＲＥＳＧ２型、ジオメトリー：Ｄｏｕｂｌｅ  Ｗａｌｌ  Ｃｏｕｅｔｔｅ型、温度：２５℃一定、角速度：２０ｒａｄ／秒、ひずみ：１→７９４％の範囲で掃引、水分散液は微細構造を壊さないようスポイトを使用して、ゆっくりと仕込み、５分間静置した後に、Ｄｙｎａｍｉｃ  Ｓｔｒａｉｎモードで測定を開始する）により測定する。本発明における貯蔵弾性率は、上述の測定で得られた歪み−応力曲線上の、温度２５℃における歪み２０％の値のことである。この貯蔵弾性率の値が大きいほど、セルロース複合体が形成する水分散液の構造はより弾性的であり、セルロースのネットワークが剛直であることを意味する。つまり、貯蔵弾性率が大きいほど、食品微粒子の沈降抑制効果が高いといえる。
【００６２】
イオン交換水中にセルロース複合体を１質量％含む水分散液の貯蔵弾性率は、２Ｐａ以上が好ましく、２．５Ｐａ以上がより好ましく、さらに好ましくは３Ｐａ以上であり、特に好ましくは４Ｐａ以上であり、最も好ましくは５Ｐａ以上である。
【００６３】
上限は、特に設定されるものではないが、飲料に配合した場合の飲みやすさや、水に分散させる場合の作業性を勘案すると、１０Ｐａ以下である。貯蔵弾性率がこの範囲内であれば、飲料の懸濁安定性が充分に得られるセルロース複合体の添加量（飲食品の形態により異なるが、例えば、ココア飲料では０．０１〜１．０質量％）において、該飲料の飲み口が軽いため好ましい。
【００６４】
＜セルロース複合体のｔａｎδ＞
本発明のセルロース複合体のｔａｎδについて説明する。本発明のセルロース複合体の水分散液のレオロジー特性として、上記方法にて、貯蔵弾性率Ｇ’と同時に、損失弾性率Ｇ’’が測定できる。水分散液に歪みを与えた際の、セルロース複合体ネットワーク構造内部に蓄えられた応力を保持する粘性成分が損失弾性率として表れる。本発明における損失弾性率Ｇ’’は、上述の測定で得られた歪み−応力曲線上の、温度２５℃における歪み２０％の値のことである。
【００６５】
また、この貯蔵弾性率と損失弾性率の比で表されるのが、ｔａｎδであり、次式で表される。すなわち、本発明におけるｔａｎδは、温度２５℃における歪み２０％の値のことである。
ｔａｎδ＝Ｇ’’（損失弾性率）／Ｇ’（貯蔵弾性率）
【００６６】
ここで、ｔａｎδの値が１未満であれば、セルロースのネットワーク構造が弾性的であることを意味し、ｔａｎδの値が１以上であれば、構造が粘性的であることを意味する。本発明のセルロース複合体の水分散液のｔａｎδは、０．６０以下である。本発明のセルロース複合体は、従来のセルロース複合体と比較して、水分散液とした時のｔａｎδの値が小さいという特徴がある。これは、水不溶性の食品微粒子が多く配合された系において、セルロースのネットワークが弾性的で剛直であることを意味する。つまり、水不溶性の食品微粒子が多く配合された系において、コロイダル状となったセルロース粒子のブラウン運動が活発であるため、セルロース粒子同士の衝突が激しく、相互作用が密に形成されるため、食品微粒子と凝集を引き起こしにくい特徴を持つと考えられる。この凝集抑制効果は、食品の保存温度が高いときに、より顕著に表れる。これは、高温では、食品微粒子のブラウン運動が、熱運動により活発化され、またタンパクが変性し、プラスにチャージしたコロイダル粒子によって、電荷バランスが中和されるため、凝集しやすくなるが、本発明のセルロース複合体はそれを打消す効果が高いからであると考えられる。
【００６７】
ｔａｎδは、０．５５以下であることが好ましく、より好ましくは０．５０以下であり、さらに好ましくは０．４５以下であり、特に好ましくは０．４４以下であり、格別に好ましくは０．４０以下であり、０．３８以下が最も好ましい。下限としては、特に設定されるものではないが、好ましくは０．１０以上である。
【００６８】
＜セルロース複合体の動的光散乱法によるメジアン径＞
本発明のセルロース複合体は、従来のセルロース複合体と比較して、動的光散乱法で水分散液を測定したときのメジアン径が小さいという特徴を持つ。
【００６９】
ここで、動的光散乱法による水分散液のメジアン径の測定方法を説明する。セルロース複合体０．０１質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させて水分散液を作製する。この水分散液を、超音波処理（ＥＹＬＡ社製、商品名「ＡＵ−１８０Ｃ」）を１０分間施した後、ゼータ電位計（大塚電子（株）製、商品名「ＥＬＳ−Ｚ２」）により粒度分布（粒径値に対する散乱強度の度数分布）を測定する。ここでいうメジアン径とは、この度数分布における散乱強度の積算５０％に対応する粒径値（μｍ）のことである。
【００７０】
この動的光散乱法によるメジアン径は、セルロース複合体が０．０１質量％という極めて薄い濃度の水溶液で測定されるため、コロイド状となったセルロース粒子のブラウン運動の指標となる。すなわち、動的光散乱法によるメジアン径が小さいほど、セルロースから伸びている水溶性ＣＭＣの広がりが小さいことを意味し、水溶性ＣＭＣと水溶性ＣＭＣ間の相互作用よりも、セルロースとセルロース間の相互作用が強いことを意味する。つまり、セルロースとセルロース間の距離が短く、密で剛直なネットワークを形成していることを意味する。そのため、動的光散乱法で測定されるメジアン径が小さいほど、食品微粒子を多く含む懸濁飲食品において、後述する保存後の分離を引き起こしにくいといえる。
【００７１】
好ましい動的光散乱法によるメジアン径としては、６００ｎｍ以下であり、より好ましくは５００ｎｍ以下であり、さらに好ましくは４５０ｎｍ以下であり、さらに好ましくは４００ｎｍ以下であり、特に好ましくは３５０ｎｍ以下である。下限は、特に設定しないが、セルロース自身の構造を考慮すると、３０ｎｍ以上が好ましい。
【００７２】
＜セルロース複合体のレーザー回折法／散乱法によるメジアン径＞
本発明のセルロース複合体は、レーザー回折法／散乱法によるメジアン径が小さい特徴を持つ。
【００７３】
このメジアン径の大きさは、以下の方法により測定できる。まず、セルロース複合体１質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させて水分散液を作製する。レーザー回折法／散乱法によるメジアン径とは、この水分散液を、レーザー回折／散乱法粒度分布計（堀場製作所（株）製、商品名「ＬＡ−９１０」、装置付属機能の超音波処理１分、屈折率１．２０）で測定した際の、体積頻度粒度分布における積算５０％粒子径（体積平均粒子径）のことである。このメジアン径は、４０μｍ以下であれば、該セルロース複合体の水への分散安定性に優れるため、好ましい。また、セルロース複合体を含有する飲食品を食した際に、ザラツキのない、滑らかなのど越しの食感を提供することができる。より好ましくは３０μｍ以下であり、特に好ましくは１０μｍ以下である。下限は特に制限されないが、０．１μｍ以上が好ましい。
レーザー回折法／散乱法によるメジアン径は、セルロースそのものの径に対応する。
【００７４】
＜セルロース複合体の水分散状態のゼータ電位＞
本発明のセルロース複合体の水分散状態におけるゼータ電位は、−４０ｍＶ以下であることが好ましい。ここで、ゼータ電位の測定方法を説明する。セルロース複合体０．２質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させて水分散液を作製する。この水分散液を、超音波処理（ＥＹＬＡ社製、商品名「ＡＵ−１８０Ｃ」）を１０分間施した後、ゼータ電位計（大塚電子（株）製、商品名「ＥＬＳ−Ｚ２」）を用いて、２５℃、積算回数２０回、溶媒の屈折率を１．３３、溶媒の誘電率を７８．３として測定する。このゼータ電位は、より好ましくは−５０ｍＶ以下であり、特に好ましくは−７０ｍＶ以下である。コロイダル状となったセルロースは負に帯電するため、負のゼータ電位の値を持つが、この負の絶対値が大きいほど、コロイダル粒子のネットワーク相互作用が強く、安定化の度合いが高いため好ましい。
【００７５】
＜セルロース複合体の製造方法＞
本発明のセルロース複合体の製造方法を説明する。本発明の特定のｔａｎδを持つセルロース複合体は、複合化工程においてセルロースと水溶性ＣＭＣを含む多糖類に機械的せん断力を与え、セルロースをサイズリダクションさせて微細化するとともに、セルロース表面に該多糖類を複合化させることにより得られる。また、水溶性ＣＭＣ以外の多糖類や親水性物質、及びその他添加剤などを添加してもよい。上述の処理を経たものは、必要に応じて乾燥してもよい。本発明のセルロース複合体は、上述の機械的せん断を経て、未乾燥のもの及びその後乾燥されたもの等、いずれの形態でもよい。
【００７６】
機械的せん断力を与えるには、混練機等を用いて混練する方法を適用することができる。混練機は、ニーダー、エクストルーダー、プラネタリーミキサー、ライカイ機等を用いることができ、連続式でもバッチ式でもよい。混練時の温度は成り行きでもよいが、混練の際の複合化反応、摩擦等により発熱する場合にはこれを除熱しながら混練してもよい。これらの機種を単独で使用することも可能であるが、二種以上の機種を組み合わせて用いることも可能である。これらの機種は、種々の用途における粘性要求等により適宜選択すればよい。
【００７７】
また、混練温度は低いほど多糖類の劣化が抑制され、結果として得られるセルロース複合体の貯蔵弾性率（Ｇ’）が高くなるため好ましい。混練温度は、１００℃以下が好ましく、９０℃以下がより好ましく、７０℃以下が特に好ましい。下限としては、０℃以上が好ましく、より好ましくは２０℃以上であり、さらに好ましくは３０℃以上である。機械的せん断を与えている状態で、上記範囲の温度を維持するには、ジャケットの冷却、放熱等の徐熱を自由に工夫することができる。
【００７８】
混練時の固形分は、２０質量％以上とすることが好ましい。混練物の粘性が高い半固形状態で混練することで、下記に述べる混練エネルギーが混練物に伝わりやすくなり、複合化が促進されるため好ましい。混練時の固形分は、より好ましくは３０質量％以上であり、さらに好ましくは４０質量％以上であり、特に好ましくは４６質量％以上である。上限は特に限定されないが、混練物が水分量の少ない不連続な顆粒状態にならず、充分な混練効果と均一な混練状態が得られることを考慮して、現実的範囲は９０質量％以下が好ましい。より好ましくは７０質量％以下であり、さらに好ましくは６０質量％以下である。また、固形分を上記範囲とするために、加水するタイミングとしては、混練工程の前に必要量を加水してもよいし、混練工程の途中で加水してもよいし、両方実施してもよい。
【００７９】
ここで、せん断速度について説明する。せん断速度とは、例えば二軸の押し出し機やニーダーにおいて、以下の式により算出されるものである。なお、せん断速度をシアレートとも表現する。
【００８０】
せん断速度（γ）＝πＤＮ／ｈ
【００８１】
ここで、以下の通り定義する。
Ｄ：ローター外径（ｍｍ）
Ｎ：ローター回転数（１／ｓｅｃ）
ｈ：チップのクリアランス（ｍｍ）
【００８２】
本発明において、せん断速度は１５０（１／ｓ）以上が好ましい。より好ましくは３００（１／ｓ）以上である。この範囲であれば、セルロースと水溶性ＣＭＣを含む多糖類の複合化が促進されやすい。セルロースに対する該多糖類の配合量が少ない場合は、せん断速度が速いほうが、セルロースと該多糖類を効果的に接触させ得、且つサイズリダクションを促進し、また複合化を促進させ得るため、好ましい。また、速いせん断速度で混練することにより、セルロース複合体を水に分散した際、貯蔵弾性率が大きくなるとともに動的光散乱法で測定されるメジアン径が小さくなるため好ましい。上限としては設備に過大な負担とならないよう、１０，０００（１／ｓ）以下であることが好ましい。
【００８３】
セルロースと水溶性ＣＭＣを含む多糖類の複合化は、せん断速度とせん断時間で調整することが可能である。通常は、上述のせん断速度の範囲において、２分以上せん断を与えることが好ましい。２分以上せん断を与えることで、セルロースの磨砕と、該多糖類との複合化が促進されるからである。より好ましいせん断時間は５分以上である。上限としては設定しないが、時間をかけてせん断しすぎると該多糖類が劣化し、複合化が減衰するため、せん断速度に対する必要なせん断時間関係を把握したうえで、運転時間を設定することが好ましい。
【００８４】
特に、本発明では、目的とする範囲のｔａｎδを発現するためには、セルロースに対する水溶性ＣＭＣを含む多糖類の比率に応じて、せん断速度及びせん断時間を調整することが好ましい。例えば、セルロースに対する該多糖類の比率が低い場合は、せん断時間への依存度は低いが、該多糖類の比率が高くなると、せん断時間は長いほうがｔａｎδが低くなるため好ましい。
【００８５】
本発明のセルロース複合体の製造では、水溶性ＣＭＣを多段階に分けて添加する場合、第一の水溶性ＣＭＣとセルロースをシアレートが３００（１／ｓ）以上で湿式混練する第一の混練工程（第一段階）と、さらに第二の水溶性ＣＭＣを添加して混練する第二の混練工程（第二段階）を含むことが好ましい。より好ましくは該シアレートが４００（１／ｓ）以上である。なお、第二の混練工程においても、湿式混練が好ましい。また、各混練工程において添加される水溶性ＣＭＣは、一度に添加されてもよいし、複数回に分けて添加されてもよい。
【００８６】
第一段階と第二段階の混練では、シアレート（せん断速度）を、添加する水溶性ＣＭＣのそれぞれに適した速度に調整することが好ましい。例えば、第一の混練工程で、第一の水溶性ＣＭＣとして置換度が０．８６−０．９４の水溶性ＣＭＣを添加する場合、３００（１／ｓ）以上の第一のせん断速度で混練することが好ましい。より好ましくは４００（１／ｓ）以上であり、さらに好ましくは５００（１／ｓ）以上であり、特に好ましくは７００（１／ｓ）以上である。第一せん断速度の上限は特に制限されないが、例えば、１０，０００（１／ｓ）以下が好ましく、５，０００（１／ｓ）以下がより好ましく、２，０００（１／ｓ）以下がさらに好ましい。次に、第二の混練工程で、上述で得られたセルロース複合体にさらに、置換度が１．１−１．５の第二の水溶性ＣＭＣを添加する場合は、１０００（１／ｓ）以下の第二のせん断速度で混練することが好ましい。より好ましくは８００（１／ｓ）以下であり、特に好ましくは５００（１／ｓ）以下である。第二せん断速度の下限は特に制限されないが、例えば、１（１／ｓ）以上が好ましく、１０（１／ｓ）以上がより好ましく、１００（１／ｓ）以上がさらに好ましい。これは、第一の混練工程では、セルロースのサイズリダクション及び水溶性ＣＭＣとセルロースの複合化を促進させ、第二の混練工程では、Ｇ’を高めさせるためである。この方法により、Ｇ’’に対して相対的にＧ’を高めることができるので、ｔａｎδが低いセルロース複合体を得ることができる。
【００８７】
また、第一の混練工程において、固形分を高めることでセルロースのサイズリダクションと水溶性ＣＭＣの複合化を促進する目的で、先述したＣＭＣ−Ｃａを添加することも好ましい実施態様である。
【００８８】
本発明のセルロース複合体を得るにあたって、前述の混練工程より得られた混練物を乾燥する場合は、棚段式乾燥、噴霧乾燥、ベルト乾燥、流動床乾燥、凍結乾燥、マイクロウェーブ乾燥等の公知の乾燥方法を用いることができる。混練物を乾燥工程に供する場合には、混練物に水を添加せず、混練工程の固形分濃度を維持して、乾燥工程に供することが好ましい。乾燥後のセルロース複合体の含水率は１〜２０質量％が好ましい。含水率を２０質量％以下とすることで、べたつき、腐敗等の問題や運搬・輸送におけるコストの問題が生じにくくなる。この含水量は、より好ましくは１５質量％以下、特に好ましくは１０質量％以下である。また、１質量％以上とすることで、過剰乾燥のため分散性が悪化することもない。より好ましくは１．５質量％以上である。
【００８９】
セルロース複合体を市場に流通させる場合、その形状は、粉体の方が取り扱い易いので、乾燥により得られたセルロース複合体を粉砕処理して粉体状にすることが好ましい。但し、乾燥方法として噴霧乾燥を用いた場合は、乾燥と粉末化が同時にできるため、粉砕は必要ない。乾燥したセルロース複合体を粉砕する場合、カッターミル、ハンマーミル、ピンミル、ジェットミル等の公知の方法を用いることができる。粉砕する程度は、粉砕処理したものが目開き１ｍｍの篩いを全通する程度に粉砕する。より好ましくは、目開き４２５μｍの篩いを全通し、かつ、平均粒度（重量平均粒子径）としては１０〜２５０μｍとなるように粉砕してもよい。
【００９０】
乾燥したセルロース複合体を水中で攪拌した際、容易に分散し、セルロースが均一に分散した、なめらかな組織を持つザラツキの無い安定なコロイド分散体が形成される。特に、セルロースが凝集や分離を起こさず、安定なコロイド分散体を形成するため、安定剤等として優れた機能を奏する。
【００９１】
＜水溶性ＣＭＣの添加方法（混練工程）＞
セルロースと水溶性ＣＭＣを含む多糖類の複合化工程において、ウェットケーク状態としたセルロースに、乾燥状態の粉末状水溶性ＣＭＣを添加する方法が好ましい。水溶性ＣＭＣと、場合によりその他多糖類及びＣＭＣ−Ｃａを添加する場合は、それらもまた乾燥状態で、全てを予め粉混合してセルロースに一括で添加してもよいし、別々に添加してもよい。好ましくは、別々に添加する方法である。これは、前述のとおり、混練工程で、せん断速度とせん断時間が重要であるため、多糖類の配合量や比率に応じて、適したせん断力とせん断時間を調整することにより、セルロース複合体をより高機能化させることが可能となるからである。たとえば、速いせん断速度で混練してセルロースのサイズリダクションと複合化を促進し、その後遅いせん断速度で混練することで貯蔵弾性率を発現させることが可能である。このとき、せん断時間を長く設定することにより、ｔａｎδを低く制御することが可能である。
【００９２】
水溶性ＣＭＣを複数回に分けて添加して混練する場合は、異なる置換度や粘度をもつものを予め混合し、それを複数回に分けて添加してもよいし、置換度や粘度に応じて水溶性ＣＭＣを分類し、その分類ごとに分けて添加しても、どちらでもよい。好ましくは、分類ごとに分けて添加する方法である。これは、水溶性ＣＭＣの置換度や粘度に応じて、せん断速度と時間を最適化しやすいからである。また、分類ごとに添加する場合は、１つの分類の水溶性ＣＭＣにつき一度に添加してもよいし、複数回に添加しても、どちらでもよい。好ましくは、作業性の効率化から一度に添加する方法である。また、添加する順序としては、置換度が０．８６−０．９４、好ましくは０．９１−０．９４の水溶性ＣＭＣを最初に添加し、後から置換度がより高い水溶性ＣＭＣを添加する方法が好ましい。これは、置換度が低いものは、サイズリダクションやｔａｎδの制御に特に効果を奏し、置換度が高いものは、Ｇ’の発現に特に効果を奏するからである。
【００９３】
＜セルロース複合体の用途＞
本発明のセルロース複合体は、種々の飲食品に使用できる。例えば、コーヒー、紅茶、抹茶、ココア、汁粉、果汁、ジュース等の嗜好飲料、生乳、加工乳、乳酸菌飲料、豆乳等の乳性飲料、カルシウムやプロテイン、ナッツ類、穀粉等、食物繊維等を強化した栄養素強化飲料、健康飲料等の各種飲料、アイスクリーム、アイスミルク、ソフトクリーム、ミルクシェーキ、シャーベット等の冷菓、氷菓類、バター、チーズ、ヨーグルト、コーヒーホワイトナー、ホイッピングクリーム、カスタードクリーム、プリン等の乳製品類、マヨネーズ、マーガリン、スプレッド、ショートニング等の油脂加工食品類、各種のスープ、シチュー、ソース、たれ、ドレッシング等の調味料類、練りがらしに代表される各種スパイス類、ジャム、フラワーペーストに代表される各種フィリング、餡、ゼリーを含むゲル・ペースト状食品類、パン、麺、パスタ、ピザ、シリアル、各種プレミックスを含む穀物食品類、キャンディー、グミ、クッキー、ビスケット、チョコレート、スナック菓子、米菓を含む和・洋菓子類、かまぼこ、はんぺん類に代表される水産練り製品、ハム、ソーセージ、肉まん、シューマイ、ハンバーグに代表される畜肉製品、クリームコロッケ、春巻き、中華あん、グラタン、餃子等の各種惣菜、塩辛、キムチ、漬物等の珍味類、ペットフード及び経管流動食等があり、食するものであれば限定しない。
【００９４】
本発明のセルロース複合体は、これらの用途において、懸濁安定剤、乳化安定剤、増粘安定剤、泡安定剤、クラウディー剤、組織付与剤、流動性改善剤、保形剤、離水防止剤、生地改質剤、粉末化基材、食物繊維基材、油脂代替などの低カロリー化基材として作用するものである。
【００９５】
本発明のセルロース複合体を飲食品に配合する場合、各飲食品の製造で通常行われている方法と同様の機器を使用して、主原料のほか、必要に応じて香料、ｐＨ調整剤、増粘安定剤、糖類、油脂類、タンパク類、乳化剤、酸味料、色素と配合して、混合、混練、撹拌、乳化、加熱等の操作を行えばよい。
【００９６】
＜飲食品へのセルロース複合体の添加量＞
飲食品に対するセルロース複合体の添加量としては、特に制限はないが、例えば、ココアやコーヒー、乳飲料等の飲料において、０．０１質量％以上が好ましい、セルロース複合体の添加量を０．０１質量％以上とすることで、分散、懸濁安定性、乳化安定性が向上する。より好ましい添加量は０．０５質量％以上であり、さらに好ましくは０．１質量％以上である。上限としては、飲料としての飲みやすさ（のどごし、舌触り）から、５質量％以下が好ましい。
【００９７】
＜水不溶性成分＞
本発明のセルロース複合体は、飲食品、特に飲料中に含まれる水不溶性成分が凝集・分離することを抑制することができる。
水不溶性成分とは、水溶媒中に添加し、攪拌した際、溶解せずに分散、或いは浮遊、沈降する成分のことを意味する。例えば、洗いごまや煎りごま、擦りごま、皮むきごまなどのごま類や、大根をはじめ、ニンジン、ニンニク、生姜、タマネギ、ナガイモ、ホウレンソウ、トマト、ネギ、シイタケ、リンゴ、ナシ、オレンジ、レモンなどの野菜や果物をすりおろしたものや、細かく刻んだもの、繊維質、乾燥粉砕したものなどを挙げることができる。そのほかにも、小麦、大麦、ライ麦、燕麦（オーツ）、鳩麦等の麦類や米、ソバ、雑穀、トウモロコシ、モロコシ、アワ、ヒエ、キビ、雑穀等の穀物、大豆、小豆、緑豆、アーモンド、カシューナッツ、マカダミアナッツ、ピスタチオ、ヘーゼルナッツ、ココナッツ、松の実、胡桃等のナッツ類、インゲン豆、そら豆、枝豆、カカオ豆、コーヒー豆などの豆類、かぼちゃの種、ひまわりの種、西瓜の種などの種類、或いは、ゆず、れもん、すだち、かぼす、だいだい、ライム、みかん、オレンジなどの柑橘系の果汁や、その他果物などの果汁や繊維質、コショウなどをはじめとするスパイスやハーブ、ココア、カルシウム、マグネシウムなどのミネラル類や、ウコン、タンパク質（ミルクプロテイン、大豆タンパク、ホエイ、カゼインなど）、コラーゲン、コエンザイムＱ１０、乳酸菌などの機能性食材、水不溶性成分であれば、食材の種類や成分としては特に限定しない。これらの原料は、酵素処理を施したものでも、施していないものでもどちらでも構わない。また、形態は、粉末状でも、ペースト状でもよく、形態は限定しない。
中でも、飲料としての味覚を考慮すると、ココア、穀物類、豆類が好ましい。
【００９８】
＜水不溶性成分の含有量＞
本発明の飲料の水不溶性成分の含有量としては、特に制限は設けないが、好ましくは３０質量％以下である。より好ましくは２０質量％以下、さらに好ましくは１０質量％以下である。水不溶性成分量がこの範囲であれば、飲料としての飲み口が良好かつ、セルロース複合体の添加量に対して、セルロース複合体が形成するネットワーク構造とのバランスがとれやすく、優れた懸濁安定性や流動性の効果を発揮しやすい。
本発明の飲食品、好ましくは飲料は、上述した本発明のセルロース複合体を含むため、例えば水溶性成分が４質量％以上という高濃度で飲食品中に存在していても、分離や凝集の発生を抑えることができる。
【００９９】
＜水不溶性成分の比重＞
水不溶性成分の比重としては、１ｇ／ｃｍ３以上であることが好ましい。比重が水と同程度、あるいは水よりも大きいものにおいて、沈降を抑制し、液体中で均一に懸濁安定させる効果を発揮する。好ましくは１．１ｇ／ｃｍ３以上である。上限としては、セルロース複合体が形成するネットワークで懸濁安定できる大きさと、喫食時の咀嚼しやすさから、３ｇ／ｃｍ３以下が好ましい。
【０１００】
＜水不溶性成分の大きさ＞
水不溶性成分の大きさとしては、体積平均粒子径が０．１μｍ以上１０ｍｍ以下が好ましい。体積平均粒子径が１０ｍｍ以下であれば、セルロース複合体が形成するネットワークに対して水不溶性成分が大きすぎることもないのでバランスが崩れず、懸濁安定化するので水不溶性成分が沈降しない。また、体積平均粒子径が０．１μｍ以上であれば、セルロースが形成するネットワークに対して水不溶性成分が小さすぎることもなく、ネットワークに水不溶性成分が引っかかるのですり抜けて沈降、或いは浮上してしまうこともないため、好ましい。水不溶性成分の体積平均粒子径は、好ましくは、１μｍ以上であり、さらに好ましくは５μｍ以上である。上限は、１ｍｍ以下がより好ましく、５００μｍ以下がさらに好ましい。
なお、本発明において、水不溶性成分の体積平均粒子径とは、１質量％の水分散液に対して、レーザー回折／散乱法粒度分布計（堀場製作所（株）製、商品名「ＬＡ−９１０」、装置付属機能の超音波処理１分、屈折率１．２０）で測定した際の、体積頻度粒度分布における積算５０％粒子径のことである。
【０１０１】
＜飲料の粘度＞
本発明の飲料の粘度は、１００ｍＰａ・ｓ以下であることが好ましい。ここでの粘度は、２５℃にてＢ形粘度計（東機産業（株）製、ＴＶ−１０型）で６０ｒｐｍで３０秒間撹拌した際に測定される粘度値をいう。より好ましい粘度は５０ｍＰａ・ｓ以下であり、さらに好ましくは２０ｍＰａ・ｓ以下であり、特に好ましくは１０ｍＰａ・ｓ以下である。この範囲内であれば、のどごしのよい食感を維持できるからである。下限としては、２ｍＰａ・ｓ以上が好ましい。
【０１０２】
＜飲料のゼータ電位＞
本発明の飲料のゼータ電位の絶対値が、５ｍＶ以上であることが好ましい。より好ましくは１０ｍＶ以上であり、さらに好ましくは２０ｍＶ以上であり、２５ｍＶ以上であることが特に好ましい。また、負の値を持つことが好ましい。ゼータ電位の絶対値は、絶対値が大きいほど、飲料中で凝集や沈降がなく、安定に分散しているためである。このゼータ電位は、超音波処理（ＥＹＬＡ社製、商品名「ＡＵ−１８０Ｃ」）を１０分間施した飲料を、ゼータ電位計（大塚電子（株）製、商品名「ＥＬＳ−Ｚ２」）を用いて、２５℃、積算回数２０回、溶媒の屈折率を１．３３、溶媒の誘電率を７８．３として測定される。
【０１０３】
また、本発明の飲料は４０℃で１週間保存した後のゼータ電位の絶対値が５ｍＶ以上であることが好ましい。より好ましくは１０ｍＶ以上であり、さらに好ましくは２０ｍＶ以上である。４０℃で１週間保存した後のゼータ電位の絶対値が高いと、加温した状態で静置保管しても沈降、凝集、及び分離が少ない。なお、ゼータ電位の絶対値が大きいほど、安定化の度合いが高いと言えるため、該絶対値の上限は特に制限されるものではないものの、飲料であれば、ゼータ電位の絶対値は１００ｍＶ以下が好ましい。
【０１０４】
＜飲料中の粒子のメジアン径（動的光散乱法）＞
本発明の飲料中に分散している粒子の動的光散乱法によるメジアン径は、１０００ｎｍ以下であることが好ましい。より好ましくは８００ｎｍ以下であり、さらに好ましくは６００ｎｍ以下であり、特に好ましくは５００ｎｍ以下である。この範囲であれば、飲料中で凝集を引き起こしにくいからである。測定は、試料をイオン交換水で１０倍に希釈して、超音波処理（ＥＹＬＡ社製、商品名「ＡＵ−１８０Ｃ」）を１０分間施した飲料を、ゼータ電位計（大塚電子（株）製、商品名「ＥＬＳ−Ｚ２」）を用いて、２５℃で、積算１４０回で測定したものである。
【実施例】
【０１０５】
本発明を、下記の実施例により説明する。ただし、これらは本発明の範囲を制限するものではない。
【０１０６】
＜水溶性ＣＭＣの粘度＞
水溶性ＣＭＣの粉末を１質量％測り取り、イオン交換水を、全量３００ｇとなるよう加えた。これを、高せん断ホモジナイザー（日本精機（株）製、商品名「エクセルオートホモジナイザーＥＤ−７」）を用いて、回転数１５，０００ｒｐｍで５分間分散させた。この水溶液を、２５℃で１時間静置した後、Ｂ形粘度計（東機産業（株）製、商品名「ＴＶ−１０」、ローター回転数６０ｒｐｍ）にローターを設置して６０秒静置後に、３０秒間回転させて測定した。なお、ローターは粘度に応じて最適なものを使用した。
【０１０７】
＜セルロース複合体の貯蔵弾性率Ｇ’＞
セルロース複合体１質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させて得られた水分散液を１日間室温で静置した。この水分散液の応力のひずみ依存性を、粘弾性測定装置（Ｒｈｅｏｍｅｔｒｉｃ  Ｓｃｉｅｎｔｉｆｉｃ，Ｉｎｃ．製、ＡＲＥＳＧ２型、ジオメトリー：Ｄｏｕｂｌｅ  Ｗａｌｌ  Ｃｏｕｅｔｔｅ型、温度：２５℃一定、角速度：２０ｒａｄ／秒、ひずみ：１→７９４％の方向で掃引、水分散液は微細構造を壊さないようスポイトを使用して、ゆっくりと仕込み、５分間静置した後に、Ｄｙｎａｍｉｃ  Ｓｔｒａｉｎモードで測定を開始した。）により測定した。本発明における貯蔵弾性率は、上述の測定で得られた歪み−応力曲線上の、温度２５℃における歪み２０％の値のことである。
【０１０８】
＜セルロース複合体のｔａｎδ＞
上記で測定した貯蔵弾性率（Ｇ’）及び同時に測定した損失弾性率（Ｇ’’）の歪み２０％値の比から、次式を用いて算出した。
ｔａｎδ＝Ｇ’’（損失弾性率）／Ｇ’（貯蔵弾性率）
【０１０９】
＜セルロース複合体の動的光散乱法によるメジアン径（ＤＬＳ）＞
セルロース複合体０．０１質量％を、高剪断ホモジナイザー（日本精機（株）製、商品名「エクセルオートホモジナイザーＥＤ−７」処理条件：回転数１５，０００ｒｐｍ×５分間）を用いてイオン交換水中に分散させて水分散液を作製した。この水分散液を、装置付属の超音波処理を１０分間施した後、ゼータ電位計（大塚電子（株）製、商品名「ＥＬＳ−Ｚ２」）により粒度分布（粒径値に対する散乱強度の度数分布）を測定し、当該粒度分布の散乱強度の積算５０％に対応する粒径値を求めた。
【０１１０】
＜実施例１＞
市販溶解パルプ（ＤＰ）を細断後、２．５ｍｏｌ／Ｌの塩酸中、１０５℃で１５分間加水分解した後、水洗、濾過し、固形分が５５質量％のウェットケーキ状のセルロースを作製した。平均重合度は２２０であった。
【０１１１】
次に、ウェットケーキ状のセルロースと、水溶性ＣＭＣとして市販のＣＭＣ−Ｎａ（Ａｓｈｌａｎｄ製、ＦＬ−９Ａ、置換度０．９３）を、セルロース／水溶性ＣＭＣ＝８５／１５、固形分濃度が４８質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度３９３（１／ｓｅｃ）で１２分間湿式混練し、セルロース複合体Ａを得た。水溶性ＣＭＣは、一回で全量投入した。混練温度は７０℃であった。
【０１１２】
得られたセルロース複合体Ａのｔａｎδは０．４５、貯蔵弾性率Ｇ’は２．８Ｐａ、ＤＬＳは４１９ｎｍであった。結果を表１に示す。
【０１１３】
＜実施例２＞
実施例１と同様にして、ウェットケーキ状のセルロースを作製した。次に、ウェットケーキ状のセルロースと水溶性ＣＭＣとして市販のＣＭＣ−Ｎａ（日本製紙製、Ｆ０４ＨＣ、置換度０．９３）を、セルロース／水溶性ＣＭＣ＝８９／１１、固形分濃度が４８質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で１０分間湿式混練し、セルロース複合体Ｂを得た。
【０１１４】
得られたセルロース複合体Ｂのｔａｎδは０．４６、貯蔵弾性率Ｇ’は２．０Ｐａ、ＤＬＳは２５５ｎｍであった。結果を表１に示す。
【０１１５】
＜実施例３＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３）と、水不溶性ＣＭＣとして市販のＣＭＣ−Ｃａ（五徳薬品製、ＥＣＧ）を、セルロース／ＣＭＣ＝８９／１１（セルロース／ＣＭＣ−Ｎａ／ＣＭＣ−Ｃａ＝８９／１０／１）、固形分濃度が４８質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で１０分間湿式混練し、セルロース複合体Ｃを得た。
【０１１６】
得られたセルロース複合体Ｃのｔａｎδは０．４１、貯蔵弾性率Ｇ’は２．７Ｐａ、ＤＬＳは３２８ｎｍであった。結果を表１に示す。
【０１１７】
＜実施例４＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３）を、セルロース／水溶性ＣＭＣ＝９４／６、固形分濃度が４８質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度１１９３（１／ｓｅｃ）で２４分間湿式混練し、セルロース複合体Ｄ得た。
【０１１８】
得られたセルロース複合体Ｄのｔａｎδは０．５７、貯蔵弾性率Ｇ’は０．７Ｐａ、ＤＬＳは３５５ｎｍであった。結果を表１に示す。
【０１１９】
＜実施例５＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、１２Ｍ３１Ｆ、置換度１．２）を、セルロース／水溶性ＣＭＣ＝９０／１０、固形分濃度が４６質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で３８分間湿式混練し、セルロース複合体Ｇを得た。
【０１２０】
得られたセルロース複合体Ｇのｔａｎδは０．５１、貯蔵弾性率Ｇ’は２．０Ｐａ、ＤＬＳは３４９ｎｍであった。結果を表１に示す。
【０１２１】
＜実施例６＞
実施例１と同様にして、ウェットケーキ状のセルロースを作製した。次に、ウェットケーキ状のセルロースと水溶性ＣＭＣとして市販のＣＭＣ−Ｎａ（ダイセル製、１３３０、置換度１．３）を、セルロース／水溶性ＣＭＣ＝８５／１５、固形分濃度が４７質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｉを得た。このとき、ＣＭＣ−Ｎａは２回に分けて添加した。セルロースとの合計における水溶性ＣＭＣの割合１５質量％のうち、まず１０質量％分をセルロースと一緒にせん断速度７８５（１／ｓｅｃ）で３０分間湿式混練した後、残りの５質量％分を加えてその混練物をせん断速度７８５（１／ｓｅｃ）で更に８分間湿式混練した。
【０１２２】
得られたセルロース複合体Ｉのｔａｎδは０．４７、貯蔵弾性率Ｇ’は３．８Ｐａ、ＤＬＳは４９３ｎｍであった。結果を表２に示す。
【０１２３】
＜実施例７＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３とＡｓｈｌａｎｄ製、Ａｍｂｕｒｇｅｒ１２２１、置換度１．３）を、セルロース／水溶性ＣＭＣ＝８１／１９、固形分濃度が４７質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｊを得た。このとき、ＣＭＣ−Ｎａは２回に分けて添加した。セルロースとの合計における水溶性ＣＭＣの割合１９質量％のうち、１４質量％分がＦＬ−９Ａであり、５質量％分がＡｍｂｕｒｇｅｒ１２２１である。まずＦＬ−９Ａ  １４質量％を、セルロース  ８１質量％と一緒に、せん断速度７８５（１／ｓｅｃ）で１０分間湿式混練した後、Ａｍｂｕｒｇｅｒ１２２１  ５質量％を加えて、その混練物をせん断速度６２８（１／ｓｅｃ）で更に８分間湿式混練した。
【０１２４】
得られたセルロース複合体Ｊのｔａｎδは０．４２、貯蔵弾性率Ｇ’は３．２Ｐａ、ＤＬＳは４１８ｎｍであった。結果を表２に示す。
【０１２５】
＜実施例８＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３とダイセル製、１３３０、置換度１．３）と、水不溶性ＣＭＣとして市販のＣＭＣ−Ｃａ（五徳薬品製、ＥＣＧ）を、セルロース／ＣＭＣ＝８３／１７（セルロース／ＣＭＣ−Ｎａ／ＣＭＣ−Ｃａ＝８３／１５／２）、固形分濃度が４７質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｋを得た。このとき、ＣＭＣは２回に分けて添加した。セルロースとの合計におけるＣＭＣの割合１７質量％のうち、１０質量％分がＦＬ−９Ａであり、５質量％分が１３３０であり、２質量％分がＣＭＣ−Ｃａである。まずＦＬ−９Ａ  １０質量％とＣＭＣ−Ｃａ  ２質量％とを、セルロース  ８３質量％と一緒に、せん断速度１１９３（１／ｓｅｃ）で２６分間湿式混練した後、１３３０  ５質量％を加えて、その混練物をせん断速度３９３（１／ｓｅｃ）で更に１９分間湿式混練した。
【０１２６】
得られたセルロース複合体Ｋのｔａｎδは０．３７、貯蔵弾性率Ｇ’は３．８Ｐａ、ＤＬＳは３６５ｎｍであった。結果を表２に示す。
【０１２７】
＜実施例９＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３とダイセル製、１３３０、置換度１．３）と、水不溶性ＣＭＣとして市販のＣＭＣ−Ｃａ（五徳薬品製、ＥＣＧ）を、セルロース／ＣＭＣ＝８３／１７（セルロース／ＣＭＣ−Ｎａ／ＣＭＣ−Ｃａ＝８３／１５／２）、固形分濃度が４７質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｌを得た。このとき、ＣＭＣは３回に分けて添加した。セルロースとの合計におけるＣＭＣの割合１７質量％のうち、１０質量％分がＦＬ−９Ａであり、５質量％分が１３３０であり、２質量％分がＣＭＣ−Ｃａである。まずＦＬ−９Ａ  ７質量％とＣＭＣ−Ｃａ  ２質量％とを、セルロース  ８３質量％と一緒に、せん断速度１１９３（１／ｓｅｃ）で１３分間湿式混練した後、さらにＦＬ−９Ａ  ３質量％を添加して、せん断速度を維持したままさらに１３分間湿式混練し、その後、１３３０  ５質量％を添加して、その混練物をせん断速度３９３（１／ｓｅｃ）で更に１９分間湿式混練した。
【０１２８】
得られたセルロース複合体Ｌのｔａｎδは０．３８、貯蔵弾性率Ｇ’は３．５Ｐａ、ＤＬＳは３８９ｎｍであった。結果を表２に示す。
【０１２９】
＜比較例１＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ）を、セルロース／水溶性ＣＭＣ＝４０／６０、固形分濃度が４５質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で３０分間湿式混練し、セルロース複合体Ｍを得た。
【０１３０】
得られたセルロース複合体Ｍのｔａｎδは２．５、貯蔵弾性率Ｇ’は２．３Ｐａ、ＤＬＳは１１５３ｎｍであった。結果を表３に示す。
【０１３１】
＜比較例２＞
実施例１と同様にして、ウェットケーキ状のセルロースを作製した。次に、ウェットケーキ状のセルロースと水溶性ＣＭＣとして市販のＣＭＣ−Ｎａ（ダイセル製、１３３０）を、セルロース／水溶性ＣＭＣ＝８５／１５、固形分濃度が４７質量％（イオン交換水で調整）とし、これらを二軸の混練機（ＤＳＭ  Ｘｐｌｏｒｅ製、Ｃｏｍｐｏｕｎｄｅｒ１５）に投入して、セルロース複合体Ｏを得た。このとき、ＣＭＣは２回に分けて添加した。セルロースとの合計における水溶性ＣＭＣの割合１５質量％のうち、まず１０質量％分の１３３０をセルロースと一緒にせん断速度７８５（１／ｓｅｃ）で３０分間湿式混練した後、混練物を取り出して５ｍｍ四方程度の大きさに小分けし、チャック付きのポリエチレン製の袋に入れて残りの５質量％分の１３３０を添加し、３分間袋を手で振り混合した。
【０１３２】
得られたセルロース複合体Ｏのｔａｎδは０．７３、貯蔵弾性率Ｇ’は１．５Ｐａ、ＤＬＳは８３２ｎｍであった。結果を表３に示す。一部のＣＭＣを混練せずに単にまぶしただけでは、ｔａｎδが大きくなり、Ｇ’は低下し、メジアン径は大きくなった。
【０１３３】
＜比較例３＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、１２Ｍ３１Ｆ、２質量％水溶液中での粘度が４８０ｍＰａ・ｓ）と、水溶性ＣＭＣとして市販のＣＭＣ−Ｎａ（Ａｓｈｌａｎｄ製、Ａｍｂｕｒｇｕｍ１２２１、２質量％水溶液中での粘度が４５ｍＰａ・ｓ）を、セルロース／水溶性ＣＭＣ＝９２／８、固形分濃度が４８質量％（イオン交換水で調整）とし、これらを二軸の混練機（ＤＳＭ  Ｘｐｌｏｒｅ製、Ｃｏｍｐｏｕｎｄｅｒ１５）に投入して、セルロース複合体Ｐを得た。このとき、１２Ｍ３１Ｆ／Ａｍｂｕｒｇｕｍ１２２１＝１／３（質量比）となるよう配合し、水溶性ＣＭＣは１回で最初にセルロースに添加し、せん断速度７８５（１／ｓｅｃ）で３０分間湿式混練した。
【０１３４】
得られたセルロース複合体Ｐのｔａｎδは０．６２、貯蔵弾性率Ｇ’は３．８Ｐａ、ＤＬＳは６５３ｎｍであった。結果を表３に示す。
【０１３５】
＜比較例４＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、７ＬＦ）を、セルロース／水溶性ＣＭＣ＝８５／１０（質量比）、固形分濃度が４６質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で６分間混練した。これを水に分散し、さらに水溶性ＣＭＣである市販のＣＭＣ−Ｎａ（Ａｓｈｌａｎｄ製、１２Ｍ３１Ｆ）を５質量％添加し（セルロースと水溶性ＣＭＣの合計を１００質量％とした）、スリーワンモーターで５００ｒｐｍで１０分間混合した。これを、スプレードライヤーで乾燥させて、粉末状のセルロース複合体Ｑを得た。
【０１３６】
得られたセルロース複合体Ｑのｔａｎδは１．３９、貯蔵弾性率Ｇ’は０．３７Ｐａ、ＤＬＳは４５２ｎｍであった。結果を表３に示す。
【０１３７】
＜比較例５＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、７ＬＦ）を、セルロース／水溶性ＣＭＣ＝８５／１５、固形分濃度が４５質量％（イオン交換水で調整）とし、これらを二軸の混練機（ＤＳＭ  Ｘｐｌｏｒｅ製、Ｃｏｍｐｏｕｎｄｅｒ１５）に投入して、せん断速度７８５（１／ｓｅｃ）で１３分間湿式混練し、セルロース複合体Ｒを得た。
【０１３８】
得られたセルロース複合体Ｒのｔａｎδは１．５４、貯蔵弾性率Ｇ’は０．３７Ｐａ、ＤＬＳは３１９ｎｍであった。結果を表３に示す。
【０１３９】
＜比較例６＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、７ＬＦ）を、セルロース／水溶性ＣＭＣ＝８５／１０、固形分濃度が１０質量％（イオン交換水で調整）とし、スリーワンモーターを用いて５００ｒｐｍで１０分間混合した。これを、ピストン型ホモジナイザー（ＡＰＶ社製、マントンゴーリンホモジナイザー）を用いて１５ＭＰａで均質化処理した。これに、さらに市販のＣＭＣ−Ｎａ（Ａｓｈｌａｎｄ製、１２Ｍ３１Ｆ）を５質量％添加し（セルロースと水溶性ＣＭＣの合計を１００質量％とした）、スリーワンモーターを用いて５００ｒｐｍで１０分間混合した。これをピストン型ホモジナイザーを用いて１５ＭＰａで均質化処理し、セルロース複合体Ｓを得た。
【０１４０】
得られたセルロース複合体Ｓのｔａｎδは１．８６、貯蔵弾性率Ｇ’は０．３１Ｐａ、ＤＬＳは１２３７ｎｍであった。結果を表４に示す。
【０１４１】
＜比較例７＞
実施例１と同様にして、ウェットケーキ状のセルロースを作製した。次に、ウェットケーキ状のセルロースと水溶性ＣＭＣとして市販のＣＭＣ−Ｎａ（Ａｓｈｌａｎｄ製、ＦＬ−９Ａ、置換度０．９３とＡｓｈｌａｎｄ製、Ａｍｂｕｒｇｅｒ１２２１、置換度１．３）を、セルロース／水溶性ＣＭＣ＝８１／１９、固形分濃度が４６質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｔを得た。このとき、ＣＭＣ−Ｎａは２回に分けて添加した。セルロースとの合計における水溶性ＣＭＣの割合１９質量％のうち、まず１４質量％分のＦＬ−９Ａをセルロースと一緒にせん断速度１４１（１／ｓｅｃ）で３０分間湿式混練した後、残りの５質量％分であるＡｍｂｕｒｇｅｒ１２２１を加えてその混練物をせん断速度１４１（１／ｓｅｃ）で更に１０分間湿式混練した。
【０１４２】
得られたセルロース複合体Ｔのｔａｎδは１．５８、貯蔵弾性率Ｇ’は０．６４Ｐａ、ＤＬＳは９４８ｎｍであった。結果を表４に示す。
【０１４３】
＜比較例８＞
実施例１と同様にして、ウェットケーキ状のセルロースを作製した。次に、ウェットケーキ状のセルロースと水溶性ＣＭＣとして市販のＣＭＣ−Ｎａ（ダイセル製、１３３０、置換度１．３）を、セルロース／水溶性ＣＭＣ＝８５／１５、固形分濃度が１０質量％（イオン交換水で調整）とし、これらを二軸の混練機（ＤＳＭ  Ｘｐｌｏｒｅ製、Ｃｏｍｐｏｕｎｄｅｒ１５）に投入して、混練し、セルロース複合体Ｕを得た。このとき、ＣＭＣ−Ｎａは２回に分けて添加した。セルロースとの合計における水溶性ＣＭＣの割合１５質量％のうち、まず１０質量％分をセルロースと一緒にせん断速度７８５（１／ｓｅｃ）で３０分間湿式混練した後、残りの５質量％分をせん断速度７８５（１／ｓｅｃ）で更に３０分間湿式混練した。
【０１４４】
得られたセルロース複合体Ｕのｔａｎδは２．１、貯蔵弾性率Ｇ’は０．４１Ｐａ、ＤＬＳは１５５０ｎｍであった。結果を表４に示す。
【０１４５】
＜ココア飲料の評価＞
上記の実施例、比較例により得られたセルロース複合体を使用し、以下の手順でココア飲料を作製し、評価した。予め粉混合したココア粉末４０ｇ、砂糖３２０ｇ、スキムミルク２００ｇ、セルロース複合体８ｇを、８０℃に調温したイオン交換水中に添加して全量４０００ｇとし、スリーワンモーター（ＨＥＩＤＯＮ製、ＢＬ−６００、かい十字羽）で１０分間撹拌混合した。これを、ピストン型ホモジナイザー（ＡＰＶ社製、マントンゴーリンホモジナイザー）を用いて、１５ＭＰａで均質化処理した。これを、１４０℃で６０秒間ＵＨＴ殺菌処理し、３５０ｍｌのペットボトルに充填して栓をして、２５℃、４０℃及び５０℃の各温度で縦置きに静置して１か月間保存した。保存期間終了後、分離、凝集、沈降状態を目視観察した。評価結果を、表１〜４に記す。評価基準を以下に示す。
【０１４６】
＜ピーナッツミルク飲料の評価＞
上記の実施例、比較例により得られたセルロース複合体を使用し、以下の手順でピーナッツミルク飲料を作製し、評価した。予め粉混合した砂糖２４０ｇ、ピーナッツパウダー１６０ｇ、スキムミルク２００ｇ、カゼインナトリウム８ｇ、及びセルロース複合体８ｇを、７５℃に調温したイオン交換水中に添加して全量４０００ｇとし、スリーワンモーター（ＨＥＩＤＯＮ製、ＢＬ−６００、かい十字羽）で１０分間撹拌混合した。これを、さらにＴＫホモジナイザー（エスエムテー製）を用いて１０，０００ｒｐｍで１０分間撹拌後、ピストン型ホモジナイザー（ＡＰＶ社製、マントンゴーリンホモジナイザー）を用いて、２０ＭＰａで均質化処理した。これを、１４０℃で５秒間ＵＨＴ殺菌処理し、３５０ｍｌのペットボトルに充填して栓をして、２５℃、４０℃及び５０℃の各温度で縦置きに静置して１か月間保存した。保存期間終了後、分離、凝集、沈降状態を目視観察した。評価結果を、表１〜４に記す。また、評価基準を以下に示す。
【０１４７】
＜飲料の評価＞
２５℃、４０℃、５０℃の各温度の恒温機内で１カ月保存後の懸濁安定性を、分離、凝集、沈降の３項目について、下記にしたがい評価した。
−分離−
◎：分離（側面から観察して上部と下部が色調の異なる２層に分離した状態を意味する）なし、○：分離した上層が全体の１〜１０％の高さ、△：分離した上層が全体の１１〜３０％の高さ、×：分離した上層が全体の３１％以上の高さ
−凝集−
◎：側面から観察して凝集なし（均一）、○：側面から観察して２０％未満の面積に凝集が発生、△：側面から観察して２０％以上５０％未満の面積に凝集が発生、×：側面から観察して５０％以上の面積に凝集が発生
−沈降−
◎：底面から観察して沈降なし（均一）、○：底面から観察して２０％未満の面積に沈降が発生、△：底面から観察して２０％以上８０％未満の面積に沈降が発生、×：底面から観察して８０％以上の面積に沈降が発生
【０１４８】
＜飲料のゼータ電位＞
４０℃で１週間静置保存した後の飲料のゼータ電位を２５℃で測定した。ゼータ電位は、超音波処理（ＥＹＬＡ社製、商品名「ＡＵ−１８０Ｃ」）を１０分間施した飲料を、ゼータ電位計（大塚電子（株）製、商品名「ＥＬＳ−Ｚ２」）を用いて、２５℃、積算回数２０回、溶媒の屈折率を１．３３、溶媒の誘電率を７８．３として測定し、以下の通り分類した。
◎：ゼータ電位の絶対値が２０ｍＶ以上、○：ゼータ電位の絶対値が１０以上２０ｍＶ未満、△：ゼータ電位の絶対値が５以上１０ｍＶ未満、×：ゼータ電位の絶対値が５ｍＶ未満
【０１４９】
【表１】
2018127636.tif 000002
【０１５０】
【表２】
2018127636.tif 000003
2018127636.tif 000004
【０１５１】
【表３】
2018127636.tif 000005
2018127636.tif 000006
【０１５２】
【表４】
2018127636.tif 000007
2018127636.tif 000008